(57)【特許請求の範囲】
【請求項１】
容器の螺子部に螺合する螺子部が形成される螺子用円筒部と、該螺子用円筒部の下端部に連結され、開栓時に破断される易破断部と、該易破断部に連結された容器側残リング部とを備える容器の蓋体において、
前記螺子用円筒部の下端部と前記容器側残リング部の上端部分とのいずれか一方が、他方の外周面側を覆うように、前記螺子用円筒部の下端部から前記容器側残リング部に到る部分を２回折り曲げて、折り曲げ方向が互いに反対となる第１折り曲げ部と第２折り曲げ部とで折り曲げて重合部を形成し、かつ前記易破断部が、最も内周側となる該重合部であって、該第１折り曲げ部よりも上方かつ該第２折り曲げ部よりも下方に形成され、さらに前記易破断部の破断による前記螺子用円筒部と容器側残リング部との分離線の一部が前記螺子用円筒部の軸線方向に凹凸状に変形し、かつその凸部の前記螺子用円筒部の軸線方向に測った高さが前記第１折り曲げ部から分離線のうち前記凹凸状に変形している部分以外の部分までの前記螺子用円筒部の軸線方向に測った間隔より大きいことを特徴とする容器の蓋体。
【発明の詳細な説明】
【０００１】
【発明の属する技術分野】
本発明は、開栓を外観の変化で知ることのできるいわゆるピルファープルーフ機能のある蓋体に関し、特にタンパーエビデンス機能を奏する部分を容器に残置する構成の蓋体に関するものである。
【０００２】
【従来の技術】
飲料等を充填した容器に使用される容器蓋として、容器の開栓によって、ピルファープルーフ裾部（タンパーエビデンスリング部）がバンド状に開環して容器蓋本体から切り離される開栓表示特性を有する容器蓋が広く実用に供されている。しかしながらこの種の容器蓋では、バンド状に延びたタンパーエビデンスリング部がゴミとして放置される不都合がある。
【０００３】
これに対して、リング部が開栓に伴って容器側に残置する構成の蓋体が開発されており、その一例が、実開昭５７−７７１４２号公報に記載されている。この公報に記載された容器蓋は、容器の開口部を実質的に閉じる主部（本体部分）の下端部（開口側の端部）に、ピルファープルーフ裾部を設け、その本体部分とピルファープルーフ裾部との境界部分に、ミシン目状連結部あるいはスコア線などの易破断部を形成した構造である。さらに、この実開昭５７−７７１４２号公報に記載された容器蓋では、その易破断部を跨いだ状態に保護被膜が設けられている。これは、破断によって生じた鋭利部を隠蔽するためのものであり、本体部分側に固着しておくことにより、易破断部の破断の後であっても、破断によって生じた鋭利な部分がその保護被膜に隠されて外部に現れないので、指に損傷を受けるなどのことがない、とされている。
【０００４】
また、従来、キャップに生じる鋭利な破断部による傷害を回避するための構造が、実開昭５３−７５３４４号公報に記載されている。この公報に記載されたキャップは、リング部の破断によって生じた鋭利部に対する安全対策を施したキャップであって、環状周裾螺子部の下端に内方へ第１折り曲げ部と第２折り曲げ部とからなる重合部を形成し、この重合部の第２折り曲げ部下方に周方向ミシン目状連結部を介して連設した容器側残置部を形成し、少なくとも前記ミシン目状連結部の上端に相当する前記第２折り曲げ部の下端周縁を前記第１折り曲げ部より上方に位置させるように構成されている。
【０００５】
【発明が解決しようとする課題】
ピルファープルーフ機能のある上記の容器蓋においては、蓋の本体部分から分離される前記裾部が容器側に残置されるので、これがゴミとなって放置され、もしくは散在することが防止されるが、容器蓋を容器の口頸部などの開口部に再度取り付けて再封止した場合、蓋の本体部分と容器側に残っているリング状の裾部との相対位置が、破断前の状態と同じになり、あるいは近似した状態になることがある。このような場合、本体部分と裾部との破断が生じているのか否かを目視によって直ちに判断できない場合があり、その点で、ピルファープルーフ機能が確実とは言い得ない問題があった。
【０００６】
また、上述した実開昭５７−７７１４２号公報に記載されている容器蓋では、保護被膜によって破断部を覆ってしまうので、容器蓋の本体部分とタンパーエビデンスリング部との境界部分の状態を外部から見ることができず、ピルファープルーフ機能が阻害されてしまう。なお、上記の実開昭５７−７７１４２号公報には、開栓によって保護被膜が破断するように構成した場合には、開栓操作が困難になることが記載されている。保護被膜がこのように破断される構成であれば、開栓前と開栓後とで保護被膜の破断という外観の変化が生じるが、その変化は、前述した容器蓋の本体部分と裾部との境界部分での破断による変化と同じであるから、容器蓋で容器の開口部を再封止した場合に、破断によって保護被膜に生じている凹凸がほぼ一致して、既に開栓されているか否かを目視では確認しにくいなどの不都合がある。
【０００７】
また一方、上記の実開昭５３−７５３４４号公報に記載されている構成では、破断部分が重合部の内側にあるから、キャップを容器の取り付けて再封止した場合には、そのミシン目状連結部における破断が生じているか否かを目視できず、そのため、ピルファープルーフ機能が不充分になる可能性があった。
【０００８】
本発明は上記の事情を鑑みてなされたもので、蓋体が容器から取り外されて開栓されたことがあることを外観から確実に判断できるように構成した容器の蓋体を提供することを目的としている。
【０００９】
【課題を解決するための手段およびその作用】
本発明は、上記の目的を達成するために、容器の螺子部に螺合する螺子部が形成される螺子用円筒部と、該螺子用円筒部の下端部に連結され、開栓時に破断される易破断部と、該易破断部に連結された容器側残リング部とを備える容器の蓋体において、前記螺子用円筒部の下端部と前記容器側残リング部の上端部分とのいずれか一方が、他方の外周面側を覆うように、前記螺子用円筒部の下端部から前記容器側残リング部に到る部分を２回折り曲げて、折り曲げ方向が互いに反対となる第１折り曲げ部と第２折り曲げ部とで重合部を形成し、かつ前記易破断部が、最も内周側となる該重合部であって、該第１折り曲げ部よりも上方かつ該第２折り曲げ部よりも下方に形成され、さらに前記易破断部の破断による前記螺子用円筒部と容器側残リング部との分離線の一部が前記螺子用円筒部の軸線方向に凹凸状に変形し、かつその凸部の前記螺子用円筒部の軸線方向に測った高さが前記第１折り曲げ部から分離線のうち前記凹凸状に変形している部分以外の部分までの前記螺子用円筒部の軸線方向に測った間隔より大きいことを特徴とするものである。
【００１０】
したがって本発明では、容器に装着された蓋体を開栓方向に回すと、その螺子部の作用によって蓋体が軸線方向に移動し、一方、容器に取り付けられている前記容器残リング部は軸線方向には移動しない。その結果、前記螺子用円筒部とリング部とを連結している易破断部に引っ張り力および剪断力が作用し、ついにはこの易破断部が切断される。こうして蓋体（または螺子用円筒部）が容器から取り外されるとともに、リング部が容器に取り付けた状態に残置される。このようにして取り外された蓋体（螺子用円筒部）の開口端側の部分あるいはリング部の上端部には、上記の破断により鋭利な部分が生じているが、上記の易破断部が重合部の内周側に形成されているので、螺子用円筒部側の破断による鋭利な部分もしくはリング部側の破断による鋭利な部分が、重合部の内周側にあって外部に露出しない。そのため、このようにして隠蔽されている破断部による指などの傷害を未然に防止することができる。
【００１１】
また、易破断部の破断によって螺子用円筒部とリング部とを分離する分離線の一部が螺子用円筒部の軸線方向に第１折り曲げ部よりも上方かつ該第２折り曲げ部よりも下方で凹凸状に変形しているので、蓋体で容器を再封止した場合、その凹凸部が一致しない状態では、蓋体すなわち螺子用円筒部の下端部とリング部との間に、その凹凸部の寸法に応じた隙間が生じる。したがって、易破断部や分離線自体が重合部の内周側にあっても、上記の隙間は外部から目視できるので、蓋体が一旦容器から取り外されて開栓されたことを容易に知ることができる。さらに、分離線が重合部の内周側にあって凹凸部の一致・不一致を直接目視できないので、これらを合わせることが困難となり、開栓前の状態を欺瞞的に再現することの防止効果が高い。
【００１２】
【発明の実施の形態】
つぎに本発明を図に示す具体例を参照して説明する。図１は本発明に係る蓋体である金属製キャップの一具体例を示すものであり、この金属製キャップ１は、天板部２とその周縁から垂下した螺子部用の筒部３とからなるキャップ本体４と、前記キャップ本体４の開口端側に設けられたリング部５と、このリング部５と前記キャップ本体４とを連結している易破断部としてのミシン目状連結部６とを備えている。また、天板部２の内面側には、軟質の合成樹脂材料よりなる密封材７が設けられている。
【００１３】
その筒部３は、図示しない容器の口頸部に冠着された後、外周面側からロール成形により螺子部が形成される部分である。また、リング部５は、容器における螺子部より下側に形成されている環状の凸部（ビード部）に係合するように縮径加工を受ける部分である。そして、ミシン目状連結部６は、いわゆる易破断部であって、前記キャップ本体４とリング部５とを連結する幅の狭い複数のブリッジ８が、円周方向に一定の間隔をあけて形成され、それらのブリッジ８の間の部分がスリット９となっている。そのスリット９の一部は、図１に示すように、前記筒部３の軸線方向に対して凹凸状に変形（または偏倚）しており、図１の例では、筒部３側がリンク部５側に凹となるように変形されている。そして、このように一部、凹凸状に変形したスリット９が、筒部３とリング部５との分離線となっている。
【００１４】
図１に示す金属製キャップ１では、そのキャップ本体４とリング部５との境界部分に重合部１０が成形されている。図２にその重合部１０の構造を拡大して示してあり、ミシン目状連結部６より前記筒部３側の部分に２つの折り曲げ部１１，１２を形成することにより、重合部１０が形成されている。より具体的には、前記筒部３の下端部が半径方向で内側に折り曲げられかつ上方に反転するように折り返されてこの部分が第１折り曲げ部１１となっている。また、この第１折り曲げ部１１からミシン目状連結部６までの間の部分が更に半径方向で内側に折り曲げられてかつ下方に反転するように折り返されて第２折り曲げ部１２となっている。言い換えれば、第１折り曲げ部１１は、キャップ本体４の外面に稜線が現れる山折りとなっており、これに対して第２折り返し部１２は、キャップ本体４の外面が内側に巻き込まれる谷折りとなっている。
【００１５】
そして、この第２折り曲げ部１２の直近の箇所、すなわち第２折り曲げ部１２に隣接するリング部５側の部分に、前記ミシン目状連結部６が形成されている。より具体的には、金属製キャップ１を構成している板材が三重に重なっている重合部１０のうち、リング部５の上端部で第２折り曲げ部１２に最も接近した位置にミシン目状連結部６が形成されている。また、機能の点で説明すれば、ミシン目状連結部６におけるブリッジ８の破断によって生じる鋭利な破断面が、最内周重合部の金属製キャップ１の開口端から最も奥に後退した位置（または第１折り曲げ部１１から最も離れた位置）に生じるようにミシン目状連結部６が形成されている。したがってミシン目状連結部６を形成しているブリッジ８およびスリット９が重合部１０の内周側にあって、金属製キャップ１の外部からは見えないようになっている。
【００１６】
上記の金属製キャップ１は、例えばアルミ合金製の薄板を素材にしてプレス加工により有底円筒体を形成し、トリミングを行なった後に上端外周面に細かい凹凸部を連続して成形するナーリング加工を施し、かつミシン目状連結部６を形成するスリット成形及びブリッジ成形を行い、さらに重合部１０を形成するための外周側に凸となるビード成形を行う。こうして得られた中間体のビード部分を、前記筒部３の下端部が外側で、かつリング部５の上端部が内側となるように折り畳み押しつぶす加工を含むリフォーム成形を更に行なって製造できる。
【００１７】
そして、この金属製キャップ１は、図示しない容器の口頸部に冠着された後、その筒部３に外周面側からロール成形を施して、口頸部の螺子部に倣った形状の螺子部を形成し、同時にリング部５の下端部を縮径加工して、口頸部に形成されている環状のビード部に係合させる。
【００１８】
このようにして容器に取り付けられた金属製キャップ１を開口方向に回転させると、その螺子部の作用によってキャップ本体４が口頸部から抜け出るように移動し、これに対してリング部５は口頸部のビード部に係合したまま軸線方向には移動しないので、キャップ本体４とリング部５との間のブリッジ８に引っ張り力と剪断力とが作用する。そのブリッジ８は幅の狭い低強度の部分であるため、ついには破断が生じ、キャップ本体４を容器の口頸部から取り外して開栓することができる。一方、リング部５は容器側に残置される。なお、このようなキャップ本体４とリング部５との分離は、上述した分離線であるスリット９に沿って生じる。
【００１９】
容器から取り外されたキャップ本体４および容器側に残置したリング部５のそれぞれには、破断されたブリッジ８の一部が残り、その先端が破断面もしくは破断線となっている。その破断部分は、鋭利なエッジとなり易いが、上記の金属製キャップ１では、ミシン目状連結部６が重合部１０の内側の部分でかつ重合部１０のうち、金属製キャップ１の開口端から最も奥まった位置に形成されているので、金属製キャップ１における破断部分は、金属製キャップ１の内部に隠蔽された状態となり、かつその開口端から離れた位置となる。したがって、金属製キャップ１を摘む場合にその開口端に指が掛かっても、破断して残っているブリッジ８の先端部分に指が強く触れたり、そのために痛みを覚えたりすることが回避される。
【００２０】
一旦取り外して開栓した金属製キャップ１を再度、容器に取り付けた場合のキャップ本体４とリング部５との相対的な関係を図３に示してある。前述したように、これらキャップ本体４とリング部５との分離線は、一部、第１折り曲げ部よりも上方かつ該第２折り曲げ部よりも下方で凹凸状に変形しているので、その凹凸部が一致していない場合には、高さＡ（第１折り曲げ部〜凸部以外のミシン目状連結部）＜高さＢ（凸部高さ）であれば、いずれか一方に形成されている凸部１４が他方の凹部１３以外の部分に当接し、両者の分離線の間に隙間１５が生じる。好ましくは、高さＡ＋１ｍｍ＜高さＢであれば隙間はより明らかとなる。この凸部１４および凹部１３は、前述したように重合部１０の内周側に形成されているので、金属製キャップ１で再栓した場合には、重合部１０に隠蔽されて直接目視することは困難であるが、キャップ本体４とリング部５との間に生じた隙間１５は直接目視できるので、金属製キャップ１が一旦開栓されたことのあることを視覚的に容易に知ることができる。
【００２１】
また、上記の金属製キャップ１では、分離線の一部である前記凹部１３および凸部１４が重合部１０の内周側にあって、開栓前および再栓時に外部から見ることが困難であるから、再栓時にこれらを一致させることは容易ではなく、したがって一旦開栓したにもかかわらず、開栓前の状態を欺瞞的に再現することを抑制もしくは防止することができる。
【００２２】
なお、上記の具体例では、易破断部をミシン目状連結部とした例を示したが、本発明における易破断部はミシン目状連結部以外に、例えば細い線を刻設して残厚を他の部分より薄くしたスコア線であってもよい。また、本発明における重合部は、上記の具体例で示した構造とは反対に、リング部に凹部形状、キャップ本体に凸部形状を設けてもよい。また、リング部の上端部が、筒部の下端部を外周側から覆う形状の重合部であってもよい。重合部をこのような構造とした場合には、容器に残置されるリング部に残る鋭利な破断部を外部から隠蔽できるので、容器から内容物を直接飲用する場合に唇などを損傷する虞れを回避できる。
【００２３】
【発明の効果】
以上説明したように、本発明によれば、容器に装着された蓋体を開栓方向に回すと、易破断部が切断されて蓋体の開口端側の部分あるいはリング部の上端部に、上記の破断により鋭利な部分が生じているが、上記の易破断部が重合部の内周側に形成されているので、螺子用円筒部側の鋭利な破断部もしくはリング部側の鋭利な破断部が、重合部の内周側にあって外部に露出しないため、このようにして隠蔽されている破断部による指などの傷害を未然に防止することができる。
【００２４】
また、易破断部の破断によって螺子用円筒部とリング部とを分離する分離線の一部が螺子用円筒部の軸線方向に凹凸状に変形しているので、蓋体で容器を再封止した場合、その凹凸部が一致しない状態では、蓋体すなわち螺子用円筒部の下端部とリング部との間に、その凹凸部の寸法に応じた隙間が生じ、したがって、易破断部や分離線自体が重合部の内周側にあっても、上記の隙間は外部から目視できるので、蓋体が一旦容器から取り外されて開栓されたことを容易に知ることができる。さらに、分離線が重合部の内周側にあって凹凸部の一致・不一致を直接目視できないので、これらを合わせることが困難となり、開栓前の状態を欺瞞的に再現することの防止効果を向上させることができる。
【図面の簡単な説明】
【図１】  本発明に係る蓋体の一具体例を示す一部断面した正面図および一部詳細図である。
【図２】  その重合部の拡大断面図である。
【図３】  分離線を形成している凹凸部の不一致によって隙間が生じている状態を示す正面図および一部詳細図である。
【符号の説明】
１…キャップ、  ３…筒部、  ４…キャップ本体、  ５…リング部、  ６…ミシン目状連結部、  ９…スリット、  １０…重合部、  １１…第１折り曲げ部、１２…第２折り曲げ部、  １３…凹部、  １４…凸部。
【図１】
0004766778.tif 000002
【図２】
0004766778.tif 000003
【図３】
0004766778.tif 000004